(57)【要約】【課題】被梱包物と外ケースとの間に介装される緩衝材において、取り付けが容易でしかも簡単にはズレることのないようにする。【解決手段】底面部１と、底面部１から切り起こされた支持片２と、この支持片２を挿入することによって底面部１に垂設される断面多角形状の垂直部３とを設け、底面部１から切り起こされた支持片２を挿入することによって垂直部３を底面部１に垂設するようにする。【選択図】図２
2007118965.tif 000002
【特許請求の範囲】
【請求項１】
被梱包物と外ケースとの間に介装される緩衝材であって、底面部と、底面部から切り起こされた支持片と、この支持片を挿入することによって底面部に垂設される断面多角形状の垂直部とを備えたことを特徴とする緩衝材。
【請求項２】
前記垂直部が、１つあたり２つ以上の支持片の挿入によって底面部に垂設される請求項１記載の緩衝材。
【請求項３】
前記２つ以上の支持片の、底面部からの折り曲げ線が平行である請求項２記載の緩衝材。
【請求項４】
前記２つ以上の支持片の、底面部からの折り曲げ線が垂直である請求項２記載の緩衝材。
【発明の詳細な説明】
【技術分野】
【０００１】
本発明は緩衝材に関し、より詳細には被梱包物と外ケースとの間に介装される緩衝材に関するものである。
【背景技術】
【０００２】
輸送中や保管中における外部衝撃等から被梱包物を保護するために、外ケースと被梱包物との間に従来から緩衝材が設けられていた。緩衝材の材料としては環境性やコストなどの観点から段ボール紙が広く使用されている。例えば段ボール紙を折り曲げて四角柱にし、これを緩衝材として用いていた。図４に、緩衝材の具体的な取り付け方法を示す。
【０００３】
外ケースの下蓋５に段ボール紙からなる底面部１’が貼着されている。底面部１’は長方形状をなし、その４つの角部から各辺に対して垂直で外方に細長い折込片４が延出している。一方、段ボール紙を折り曲げて作製された、実質的な緩衝作用を奏する断面多角形で中空の垂直部が、外ケースの下蓋の４角に載置される。そして、図５に示すように、底面部１’の折込片４を垂直部３の上部開口内に折り込み、垂直部３を底面部１’に固定していた。
【特許文献１】特開２００１−２７８２５０号公報
【発明の開示】
【発明が解決しようとする課題】
【０００４】
しかしながら、図４及び図５に示した従来の取り付け方法では、底面部１’に対する垂直部３の固定が弱く、輸送時の振動等によって被梱包物がずれると垂直部３も容易にズレるという不具合があった。
【０００５】
本発明はこのような従来の問題に鑑みてなされたものであり、その目的とするところは、垂直部の取り付けが容易でしかも簡単にはズレることのない緩衝材を提供することにある。
【課題を解決するための手段】
【０００６】
本発明によれば、被梱包物と外ケースとの間に介装される緩衝材であって、底面部と、底面部から切り起こされた支持片と、この支持片を挿入することによって底面部に垂設される断面多角形状の垂直部とを備えたことを特徴とする緩衝材が提供される。
【０００７】
ここで底面部への垂直部の取り付け安定性を一層強くする観点から、垂直部１つあたり２以上の支持片を挿入して垂直部を底面部に垂設するのが好ましい。さらには、前記２以上の支持片の、底面部からの折り曲げ線が平行又は垂直であるのが好ましい。
【発明の効果】
【０００８】
本発明の緩衝材では、底面部から切り起こされた支持片を挿入することによって垂直部を底面部に垂設するので、垂直部の取り付けが容易となり作業性が向上する。また、輸送中などに垂直部がズレることが効果的に防止される。
【０００９】
垂直部１つあたり２つ以上の支持片を挿入して垂直部を底面部に取り付けると、垂直部の底面部への取り付け安定性が向上しズレることがより防止される。前記２つ以上の支持片の底面部からの折り曲げ線が平行であると、外ケースの内側面による垂直部の支持と相俟って垂直部のズレが防止される。一方、前記２つ以上の支持片の底面部からの折り曲げ線が垂直であると、外ケースの内側面によらず支持片単独で垂直部のズレを防止できるようになる。
【発明を実施するための最良の形態】
【００１０】
以下、本発明に係る緩衝材について図に基づいて説明する。なお、本発明はこれらの実施形態に何ら限定されるものではない。
【００１１】
図１に、本発明に係る緩衝材の底面部の平面図を示す。底面部１は長方形状をなし、例えば段ボール紙などの板状部材からなる。そして底面部１には、「コ」字状の複数の切り込み１１が形成され、切り込み１１の両端を結ぶ直線が折り曲げ線１２となっている。このような構成の底面部１は例えば大きな板状体から金型による打ち抜きにより形成される。この場合、一枚の板状体から多くの底面部１を打ち抜き形成すると同時に、打ち抜き後の板状体に残る不用部をできるだけ少なくするためには、底面部１の平面形状は四角形状が望ましい。
【００１２】
図２に示すように、底面部１の使用に際しては、切り込み１１によって形成された支持片２を折り曲げ線１２のところで折り曲げ、底面部１に対して略垂直となるように起こす。
【００１３】
一方、被梱包物と外ケースとの間に介装され、緩衝作用を奏する垂直部３は、断面多角形の柱形状である。図２に示す垂直部３は、被梱包物の４角を保護するため断面「Ｌ」字状となっているが、垂直部３の形状はこれに限定されるものではなく、垂直部３が配置される位置や被梱包部材の形状などから適宜決定すればよい。
【００１４】
図２に示されている垂直部３は、一枚の段ボール紙を複数箇所で折り曲げて断面「Ｌ」字状の柱形状としたものである。もちろん、形の異なる２つの四角柱を折り曲げ形成した後、接合して作製してもよい。折り曲げ形成によって垂直部３を作製した場合には、空間が中央部に必然的に形成されるので、後述する支持片２を挿入するための孔部を別途形成する必要はないが、作製工程において孔部が必然的に形成されない場合には垂直部３に孔部を形成する必要がある。
【００１５】
図２に示すように、垂直部３の底面部１への取り付けは、底面部１から略垂直に折り曲げられた支持片２を垂直部３の中央空間に挿入することによって行われる。このとき、取り付け後の垂直部３のがたつきを抑える観点から、支持片２の両側端面が垂直部３の内側壁と接触するように、支持片２の幅を調整しておくことが望ましい。また支持片２の高さについては特に限定はないが、垂直部３の高さ以下であることが好ましい。
【００１６】
１つの垂直部３を底面部１に取り付けるための支持片２の数に特に限定はないが、２つ以上の支持片２で１つの垂直部３を支持するのが安定性の点などから望ましい。２つ以上の支持片２で１つの垂直部３を支持する場合、支持片２の折り曲げ線１２を平行とするのが（図１を参照）、外ケース（不図示）の内側面による垂直部３の支持と相俟って垂直部３のズレ防止に対して効果的である。
【００１７】
一方、外ケース（不図示）の内側面と垂直部３の間に隙間がある場合には、１つの垂直部３を支持する２つ以上の支持片２の折り曲げ線１２が垂直となるように配置するのが好ましい。支持片２の折り曲げ線１２が垂直となるようにする、すなわち底面部１から切り起こされた支持片２の長手方向が垂直になるようにすると、垂直部３の前後・左右の移動に対して長手方向が垂直になっている支持片２の一方が抑止力として働くからである。
【００１８】
図３に、１つの垂直部３を支持する２つ以上の支持片２ａ，２ｂの折り曲げ線１２ａ，１２ｂを垂直とした例を示す。同図は底面部１の平面図であって、同図（ａ）は支持片２ａ，２ｂを切り起こす前、同図（ｂ）は支持片２ａ，２ｂを切り起こした後の図である。この図から理解されるように、支持片２ａ，２ｂは長手方向（同図（ｂ）に矢印で図示）の力に対しては大きな対向力が生じるので、長手方向が垂直となるように２つ支持片２ａ，２ｂを配置することによって、垂直部３の前後・左右の移動を効果的に抑えることができるようになる。なお、１つの垂直部３を支持する支持片２が３つ以上あるの場合には、少なくとも２つの支持片２の折り曲げ線１２が垂直となっていればよく、いずれの支持片の折り曲げ線を他の支持片の折り曲げ線と垂直にするかは、支持片の長手方向の長さや幅などから適宜決定すればよい。
【００１９】
緩衝材を構成する材料としては段ボール紙の他、厚紙など従来公知のものを使用することができ、被包装物の大きさや重さ、耐衝撃性などから適宜決定すればよい。
【図面の簡単な説明】
【００２０】
【図１】本発明に係る緩衝材に使用する底面部の一例を示す平面図である。
【図２】本発明に係る緩衝材の一例を示す組み立て図である。
【図３】本発明に係る緩衝材に使用する底面部の他の例を示す平面図である。
【図４】従来の緩衝材を示す組立斜視図である。
【図５】図４の緩衝材における、折込片による垂直部の取り付けを説明するための図である。
【符号の説明】
【００２１】
１    底面部
２    支持片
２ａ，２ｂ    支持片
３    垂直部
５    外ケース
１１    切り込み
１２    折り曲げ線
１２ａ，１２ｂ    折り曲げ線
【図１】
2007118965.tif 000003
【図２】
2007118965.tif 000004
【図３】
2007118965.tif 000005
【図４】
2007118965.tif 000006
【図５】
2007118965.tif 000007